(57)【要約】【課題】コネクタの嵌合力を低下させることなく、嵌合解除の作業性が良いコネクタを提供する。【解決手段】メス端子１０を収容するオスコネクタハウジング３と、オス端子３０を収容し、コネクタ嵌合室２５を有するメスコネクタハウジング２１と、オスコネクタハウジング３に係止突部５を有し、メスコネクタハウジング２１係止穴２８を有し、コネクタ嵌合位置で係止突部５と係止穴２８が係止されるコネクタロック手段６とを備えたコネクタ１であって、コネクタ嵌合室２５は、オスコネクタハウジング３がコネクタ嵌合位置より深い位置まで挿入できるよう形成され、オスコネクタハウジング３をコネクタ嵌合位置から深い位置に挿入する過程で、係止突部５と係止穴２８の双方に係止解除側に変移させるテーパ面５ａ，２８ａを備えた。【選択図】図１０
2013069545.tif 000002
【特許請求の範囲】
【請求項１】
第１端子を収容する第１コネクタハウジングと、
第２端子を収容し、前記第１コネクタハウジングが嵌合されるコネクタ嵌合室を有する第２コネクタハウジングと、
前記第１コネクタハウジングと前記第２コネクタハウジングのいずれか一方に係止部を、他方に前記係止部に撓み変形によって係止する被係止部を有し、コネクタ嵌合位置で前記係止部と前記被係止部が係止されるコネクタロック手段とを備えたコネクタであって、
前記コネクタ嵌合室は、前記第１コネクタハウジングがコネクタ嵌合位置より深い位置まで挿入できるよう形成され、
前記第１コネクタハウジングをコネクタ嵌合位置から深い位置に挿入する過程で、前記係止部と前記被係止部の少なくともいずれか一方を係止解除側に変移させるロック解除補助部を備えたことを特徴とするコネクタ。
【請求項２】
請求項１記載のコネクタであって、
前記係止部は、係止突部であり、前記被係止部は、撓みアーム部に設けられた係止穴であることを特徴とするコネクタ。
【請求項３】
請求項２記載のコネクタであって、
前記ロック解除補助部は、前記係止突部と前記係止穴の少なくともいずれか一方に設けられたテーパ面であることを特徴とするコネクタ。
【発明の詳細な説明】
【技術分野】
【０００１】
本発明は、双方のコネクタハウジング間をロックするハウジングロック手段を備えたコネクタに関する。
【背景技術】
【０００２】
この種の従来のコネクタとしては、特許文献１に開示されたものがある。このコネクタ１００は、図１３及び図１４に示すように、オスコネクタハウジング１０１とメスコネクタハウジング１２０を備えている。オスコネクタハウジング１０１には、複数の端子収容室１０２が設けられている。各端子収容室１０２には、メス端子１１０が収容されている。オスコネクタハウジング１０１の撓みアーム部（図示せず）には、係止突部１０３が突設されている。
【０００３】
メスコネクタハウジング１２０は、フード部１２１を有する。このフード部１２１には、コネクタ嵌合室１２２が形成されている。メスコネクタハウジング１２０には、ジョイント用のオス端子１３０が収容されている。オス端子１３０の複数のタブ部１３０ａは、コネクタ嵌合室１２２内に配置されている。又、メスコネクタハウジング１２０のフード部１２１には、係止穴１２３が設けられている。
【０００４】
次に、コネクタ１００の嵌合動作を説明する。図１３に示すように、オスコネクタハウジング１０１をメスコネクタハウジング１２０のコネクタ嵌合室１２２に挿入する。すると、オスコネクタハウジング１０１の係止突部１０３がコネクタ嵌合室１２２の開口周壁に突き当たり、この状態より更にオスコネクタハウジング１０１を挿入すると、オスコネクタハウジング１０１の撓みアーム部（図示せず）がコネクタ嵌合室１２２内に入り込む方向に撓み変形して係止突部１０３のコネクタ嵌合室１２２への挿入が許容される。図１４に示すように、オスコネクタハウジング１０１をコネクタ嵌合室１２２のコネクタ嵌合位置まで挿入すると、各メス端子１１０とオス端子１３０のタブ部１３０ａが適正な接触状態となり、且つ、係止突部１０３と係止穴１２３の一致が位置する。これにより、撓みアーム部（図示せず）が撓み復帰変形し、係止突部１０３が係止穴１２３に入り込む。これで、コネクタ１００が嵌合状態となる。
【０００５】
コネクタ１００の嵌合解除は、オスコネクタハウジング１０１の撓みアーム部（図示せず）の上面とメスコネクタハウジング１２０のフード部１２１の内面との間に例えば解除用治具（図示せず）を無理矢理に挿入して撓みアーム部（図示せず）を撓み変形させ、係止穴１２３と係止突部１０３間を係止解除状態とする。この状態を保持してオスコネクタハウジング１０１とメスコネクタハウジング１２０間を離間させる。
【先行技術文献】
【特許文献】
【０００６】
【特許文献１】特開２０００−２４３５０２号公報
【発明の概要】
【発明が解決しようとする課題】
【０００７】
前記従来例では、上記したようにコネクタ１００の嵌合解除に際して、隙間のないオスコネクタハウジング１０１とメスコネクタハウジング１２０の間に解除用治具（図示せず）を無理矢理に挿入しなければならない。従って、コネクタ１００の嵌合解除の作業性が悪いという問題があった。
【０００８】
ここで、係止突部１０３等に解除用治具（図示せず）を挿入するための切欠部を設けることが考えられるが、係止突部１０３の係止代が減少したり、係止力の強度が低下したりするため、コネクタ１００の嵌合力が低下する。
【０００９】
そこで、本発明は、前記した課題を解決すべくなされたものであり、コネクタの嵌合力を低下させることなく、嵌合解除の作業性が良いコネクタを提供することを目的とする。
【課題を解決するための手段】
【００１０】
本発明は、第１端子を収容する第１コネクタハウジングと、第２端子を収容し、前記第１コネクタハウジングが嵌合されるコネクタ嵌合室を有する第２コネクタハウジングと、前記第１コネクタハウジングと前記第２コネクタハウジングのいずれか一方に係止部を、他方に前記係止部に撓み変形によって係止可能な被係止部を有し、コネクタ嵌合位置で前記係止部と前記被係止部が係止されるコネクタロック手段とを備えたコネクタであって、前記コネクタ嵌合室は、前記第１コネクタハウジングがコネクタ嵌合位置より深い位置まで挿入できるよう形成され、前記第１コネクタハウジングをコネクタ嵌合位置から深い位置に挿入する過程で、前記係止部と前記被係止部の少なくともいずれか一方を係止解除側に変移させるロック解除補助部を備えたことを特徴とする。
【００１１】
前記係止部は、係止突部であり、前記被係止部は、撓みアーム部に設けられた係止穴であるものを含む。
【００１２】
前記ロック解除補助部は、前記係止突部と前記係止穴の少なくともいずれか一方に設けられたテーパ面であることが好ましい。
【発明の効果】
【００１３】
本発明によれば、嵌合したコネクタにあって、第１コネクタハウジングをコネクタ嵌合室の嵌合位置より更に深い位置に挿入すると、ロック解除補助部によって係止部と被係止部の少なくともいずれか一方が係止解除側に強制変移され、この変移によってできる双方のコネクタハウジング間の隙間に出来るため、解除用治具を双方のコネクタハウジング間に容易に挿入できる。そして、ロック解除補助部は、第１コネクタハウジングとメスコネクタハウジング間の嵌合方向の変移によって係止部と被係止部の少なくとも一方を係止解除側に強制変移させる構造であれば良いため、係止部と被係止部の係止代や係止力の強度を低下させないで設けることができる。以上より、コネクタの嵌合力を低下させることなく、コネクタの嵌合解除の作業性が良い。
【図面の簡単な説明】
【００１４】
【図１】本発明の一実施形態を示し、オスコネクタ部の斜視図である。
【図２】本発明の一実施形態を示し、（ａ）はオスコネクタ部の正面図、（ｂ）は（ａ）のＡ−Ａ線断面図である。
【図３】本発明の一実施形態を示し、メス端子の斜視図である。
【図４】本発明の一実施形態を示し、メスコネクタ部の斜視図である。
【図５】本発明の一実施形態を示し、（ａ）はメスコネクタ部の正面図、（ｂ）は（ａ）のＢ−Ｂ線断面図である。
【図６】本発明の一実施形態を示し、オス端子の斜視図である。
【図７】本発明の一実施形態を示し、解除用治具の斜視図である。
【図８】本発明の一実施形態を示し、嵌合したコネクタの斜視図である。
【図９】本発明の一実施形態を示し、（ａ）は嵌合したコネクタの正面図、（ｂ）は（ａ）のＣ−Ｃ線断面図である。
【図１０】本発明の一実施形態を示し、（ａ）は嵌合位置から更に奥に挿入した状態のコネクタの正面図、（ｂ）は（ａ）のＤ−Ｄ線断面図である。
【図１１】本発明の一実施形態を示し、オスコネクタハウジングとメスコネクタハウジングの撓みアーム部間に解除用治具を挿入した状態を示す斜視図である。
【図１２】本発明の一実施形態を示し、（ａ）はオスコネクタハウジングとメスコネクタハウジングの撓みアーム部間に解除用治具を挿入した状態を示す正面図、（ｂ）は（ａ）のＥ−Ｅ線断面図である。
【図１３】従来例を示し、嵌合途中のコネクタの断面図である。
【図１４】従来例を示し、嵌合したコネクタの断面図である。
【発明を実施するための形態】
【００１５】
以下、本発明の一実施形態を図面に基づいて説明する。
【００１６】
図１〜図１２は本発明の一実施形態を示す。コネクタ１は、オスコネクタ部２とメスコネクタ部２０とから構成されている。
【００１７】
図１〜図３に示すように、オスコネクタ部２は、第１コネクタハウジングであるオスコネクタハウジング３を備えている。このオスコネクタハウジング３内には、複数の端子収容室４が設けられている。各端子収容室４の前方側には、相手端子挿入口４ａが設けられている。各端子収容室４の後方側には、電線引出口４ｂが設けられている。各端子収容室４には、第１端子であるメス端子１０が収容されている。メス端子１０は、電線引出口４ｂから端子収容室４に挿入される。メス端子１０は、端子収容室４の所定位置で固定されている。メス端子１０は、端子接触部１１と電線圧着部１２を有する。端子接触部１１は、外形が箱形状であり、内部に弾性接触端子１１ａを有する。電線圧着部１２には、電線Ｗの端部が圧着によって接続されている。
【００１８】
オスコネクタハウジング３の上面には、係止部である係止突部５が突設されている。係止突部５は、オスコネクタ嵌合方向Ｍの先端側が解除補助部であるテーパ面５ａに、オスコネクタ嵌合方向Ｍの後端側が垂直面５ｂにそれぞれ形成されている。テーパ面５ａは、コネクタ１の嵌合開始からコネクタ嵌合位置までの嵌合過程で、係止突部５のスムーズな移動を行うためのガイド面として機能する。テーパ面５ａは、コネクタ嵌合位置から更に奥位置への移動過程でロック解除補助部として機能する。この機能については、下記に詳述する。垂直面５ｂは、コネクタ嵌合位置では係止面として機能する。
【００１９】
図４〜図６に示すように、メスコネクタ部２０は、第２コネクタハウジングであるメスコネクタハウジング２１を備えている。メスコネクタハウジング２１は、ハウジング本体部２２と、このハウジング本体部２２の前方側に一体に設けられたフード部２３とを備えている。
【００２０】
ハウジング本体部２２内には、複数の端子収容室２４が設けられている。各端子収容室２４の前方側には、端子突出口２４ａが設けられている。各端子収容室２４の後方側には、電線引出口２４ｂが設けられている。各端子収容室２４には、第２端子であるオス端子３０が収容されている。オス端子３０は、電線引出口２４ｂから端子収容室２４に挿入される。オス端子３０は、端子収容室２４の所定位置で固定されている。オス端子３０は、端子接触部３１と電線圧着部３２を有する。端子接触部３１は、タブ形状であり、箱体３１ａより前方に突出している。端子接触部３１は、端子突出口２４ａよりフード部２３内に突出されている。電線圧着部３２には、電線Ｗの端部が圧着によって接続されている。
【００２１】
フード部２３の内部には、前方面側が開口されたコネクタ嵌合室２５が形成されている。コネクタ嵌合室２５には、前方の開口よりオスコネクタハウジング３が嵌合される。コネクタ嵌合室２５は、オスコネクタハウジング３がコネクタ嵌合位置（図８及び図９の位置）より深い位置（図１０の位置）まで挿入できるよう形成されている。つまり、コネクタ嵌合位置は、オスコネクタハウジング３のコネクタ嵌合室２５への最大挿入位置より手前位置とされている。従って、コネクタ嵌合位置では、オスコネクタハウジング３の挿入先端面とネクタ嵌合室２５の奥面との間には、隙間Ｄ（図９（ｂ）に示す）が形成される。
【００２２】
フード部２３の上面部には、フード部２３の開口端に達する一対のスリット２６によって撓みアーム部２７が一体に設けられている。撓みアーム部２７は、一対のスリット２６によってフード部２３に対して撓み変形可能である。撓みアーム部２７には、被係止部である係止穴２８が形成されている。コネクタ１の嵌合位置では、係止穴２８に前記係止突部５が係止されることによって双方のコネクタハウジング３，２１間がロックされる。つまり、係止穴２８と係止突部５によってコネクタロック手段６が構成されている。
【００２３】
係止穴２８は、オスコネクタ嵌合方向Ｍの先端側の下方側がロック解除補助部であるテーパ面２８ａに形成されている。係止穴２８は、オスコネクタ嵌合方向Ｍの後端側が垂直面２８ｂに形成されている。テーパ面２８ａは、コネクタ嵌合位置から更に奥位置への移動過程でロック解除補助部として機能する。この機能については、下記に詳述する。垂直面２８ｂは、コネクタ嵌合位置では係止面として機能する。
【００２４】
嵌合したコネクタ１の解除作業には、解除用治具４０が使用される。解除用治具４０は、図７に示すように、把持部４１と、この把持部４１より前方に突出するロッド部４２とを備えている。ロッド部４２は、平板状である。ロッド部４２の先端部は、平板状の一端で最も突出し、平板状の他端に向かうに従って徐々に退出するテーパ面４２ａに形成されている。
【００２５】
次に、コネクタ１の嵌合動作を説明する。オスコネクタハウジング３をメスコネクタハウジング２１のコネクタ嵌合室２５に挿入する。すると、オスコネクタハウジング３の係止突部５がメスコネクタハウジング２１の撓みアーム部２７の前端面に突き当たる。この状態より更にオスコネクタハウジング３を挿入すると、係止突部５のテーパ面５ａによって撓みアーム部２７の前端側が上方に徐々に撓み変形し、上方に撓み変形した撓みアーム部２７の下方を係止突部５が移動して、オスコネクタハウジング３がコネクタ嵌合室２５に徐々に挿入される。
【００２６】
オスコネクタハウジング３がコネクタ嵌合室２５のコネクタ嵌合位置まで挿入されると、各メス端子１０と各オス端子３０が適正な接触状態となり、且つ、係止突部５と係止穴２８の位置が一致する。これにより、撓みアーム部２７が撓み復帰変形して係止突部５が係止穴２８に係止される。これで、図８及び図９に示すように、コネクタ１が嵌合状態となり、完了する。コネクタ１の嵌合状態にあって、オスコネクタハウジング３側の係止突部５の垂直面５ｂとメスコネクタハウジング２１側の係止穴２８の垂直面２８ｂが対向配置される。この係止力がコネクタ１の嵌合力となり、コネクタ１間がロックされる。
【００２７】
次に、コネクタ１の嵌合解除の作業を説明する。先ず、図８及び図９のコネクタ１の嵌合状態にあって、オスコネクタハウジング３をコネクタ嵌合方向Ｍに押圧する。すると、オスコネクタハウジング３は、図１０に示すように、コネクタ嵌合室２５のコネクタ嵌合位置より更に奥位置に移動する。この移動過程で、係止突部５のテーパ面５ａが係止穴２８の周面のテーパ面２８ａ上を摺動し、撓みアーム部２７が上方に押圧される。この押圧力によって撓みアーム部２７が撓み変形、つまり、係止穴２８が係止解除側に変移し、撓みアーム部２７の前端側がオスコネクタハウジング３の上面より浮き上がる。これにより、撓みアーム部２７の前端側とオスコネクタハウジング３の上面の間に隙間ｄ（図１０に示す）ができる。
【００２８】
次に、図１１及び図１２に示すように、撓みアーム部２７の前端とオスコネクタハウジング３の上面の隙間ｄに解除用治具４０のロッド部４２の先端側を差し込む。そして、差し込んだ解除用治具４０にコネクタ嵌合室２５の奥方向に強制挿入すると、ロッド部４２のテーパ面４２ａが撓みアーム部２７の前端側を更に上方に押圧する。この押圧力で撓みアーム部２７が更に上方に撓み変形され、係止穴２８が係止解除位置まで変移する。係止穴２８を係止解除位置とした状態を維持しつつ、オスコネクタハウジング３を解除用治具４０と共にオスコネクタ離間方向Ｎ（図１２（ｂ）に示す）に引き抜き、双方のコネクタハウジング３，２１間を離間させれば完了する。
【００２９】
以上説明したように、コネクタ１の嵌合状態にあって、オスコネクタハウジング３をコネクタ嵌合室２５の嵌合位置より更に深い位置に挿入すると、２つのテーパ面５ａ，２８ａによって係止突部５が係止解除側に強制変移され、この変移によってオスコネクタハウジング３とメスコネクタハウジング２１間に隙間ｄができるため、解除用治具４０をオスコネクタハウジング３とメスコネクタハウジング２１間に容易に挿入できる。そして、ロック解除補助部は、オスコネクタハウジング３とメスコネクタハウジング２１のコネクタ嵌合方向Ｍへの移動で係止穴２８を係止解除側に強制変移させる構造であるため、前記実施形態の２つのテーパ面５ａ，２８ａのように、係止突部５と係止穴２８の係止代や係止力の強度を低下させないで設けることができる。以上より、コネクタ１の嵌合力を低下させることなく、コネクタ１の嵌合解除の作業性が向上する。
【００３０】
ロック解除補助部は、係止突部５と係止穴２８の双方に設けられたテーパ面５ａ，２８ａより構成されている。従って、双方のテーパ面５ａ，２８ａの干渉による押圧力が係止穴２８に直接作用し、係止穴２８を設けた箇所、この実施形態では撓みアーム部２７を確実に、且つ、スムーズに係止解除側に撓み変形させることができる。これにより、オスコネクタハウジング３とメスコネクタハウジング２１の間に隙間ｄを確実に発生させることができる。ロック解除補助部は、係止突部５のテーパ面５ａのみから構成しても良い。
【００３１】
係止突部５のテーパ面５ａは、コネクタ嵌合過程でのガイド面を利用しているため、構成の単純化になる。
【００３２】
前記実施形態では、コネクタロック手段６は、その係止突部５がオスコネクタハウジング３に設けられ、係止穴２８がメスコネクタハウジング２１に設けられているが、逆に、係止突部５をメスコネクタハウジング２１に、係止穴２８をオスコネクタハウジング３に設けても良い。
【００３３】
前記実施形態では、撓みアーム部２７は、係止穴２８側に設けて係止穴２８が係止解除側に変移するよう構成されているが、係止突部５側に設けて係止突部５が係止解除側に変移するよう構成しても良い。又、係止突部５側と係止穴２８側の双方に撓みアーム部２７を設けて、係止突部５側と係止穴２８側の双方が係止解除側に変移するよう構成しても良い。
【００３４】
前記実施形態では、コネクタロック手段６は、その係止部が係止突部５にて、被係止部が係止穴２８にてそれぞれ形成されているが、係止部と被係止部の構造はこれに限定されるものではない。コネクタロック手段６の係止部と被係止部は、コネクタ嵌合位置でオスコネクタハウジング３とメスコネクタハウジング２１間を離間方向に移動しないようにロックできる構造であれば良い。
【符号の説明】
【００３５】
１  コネクタ
３  オスコネクタハウジング（第１コネクタハウジング）
５  係止部（係止突部）
５ａ，２８ａ  テーパ面（ロック解除補助部）
６  コネクタロック手段
１０  メス端子（第１端子）
２１  メスコネクタハウジング（第２コネクタハウジング）
２５  コネクタ嵌合室
２７  撓みアーム部
２８  係止穴（被係止部）
３０  オス端子（第２端子）
４０  解除用治具
【図１】
2013069545.tif 000003
【図２】
2013069545.tif 000004
【図３】
2013069545.tif 000005
【図４】
2013069545.tif 000006
【図５】
2013069545.tif 000007
【図６】
2013069545.tif 000008
【図７】
2013069545.tif 000009
【図８】
2013069545.tif 000010
【図９】
2013069545.tif 000011
【図１０】
2013069545.tif 000012
【図１１】
2013069545.tif 000013
【図１２】
2013069545.tif 000014
【図１３】
2013069545.tif 000015
【図１４】
2013069545.tif 000016